(57)【要約】      （修正有）【課題】梱包材および運賃を軽減し、運送時のゴルフクラブの損傷を防止するゴルフクラブの梱包部材を提供する。【解決手段】ゴルフクラブ１の梱包材に合成樹脂製もしくは紙性の緩衝防止シートの袋体５を利用して、これらの梱包部材を折り畳んで郵便ポストに投函できるサイズのケースに収納するようにして、梱包材および運賃を合理化できるようにした。【選択図】図１
0003235629.tif 000002
【実用新案登録請求の範囲】
【請求項１】
ゴルフクラブのシャフト部を収納するシャフト梱包部材と、ゴルフクラブのヘッド部を収納するヘッド梱包部材とで構成された、ゴルフクラブの梱包部材において、
前記シャフト梱包部材は、合成樹脂製もしくは紙製もしくは、合成樹脂製と紙製の積層構造の緩衝防止シートで形成されていて、長尺な形状で長手方向の一端を開口部とした袋体よりなり、
前記ヘッド梱包部材は、下端部を閉塞し、上端部を開口した箱体と、当該箱体の上端部の開口を閉塞して、前記箱体と一体もしくは別体で設けられた閉塞部材とよりなり、
前記箱体は、前記箱体を構成する側壁部のうちの１角個所において、直交する２面を上方に延長して第一の支持柱が設けられており、
前記閉塞部材は、前記箱体の前記第一の支持柱の直交する２面と相対する個所を、上方に切り起こして第二の支持柱が形成されており、
前記箱体に前記ゴルフクラブのヘッド部を収納して、前記ゴルフクラブのシャフト部が前記箱体の前記第一の支持柱と、前記閉塞部材の前記第二の支持柱との内側に配置されるようにして、前記閉塞部材で前記箱体の上端部を塞ぐとともに、前記閉塞部材を前記箱体に止着し、
前記ゴルフクラブのシャフト部を、前記シャフト梱包部材で被装して、前記シャフト梱包部材の前記開口部を前記第一の支持柱および、前記第二の支持柱に被せて止着するようにして、前記ゴルフクラブを梱包することを特徴とするゴルフクラブの梱包部材。
【請求項２】
前記ヘッド梱包部材の内部に前記ゴルフクラブのヘッド部が収納された状態で、前記箱体の前記第一の支持柱と前記閉塞部材の前記第二の支持柱との内側に補強部材を配置および止着して、前記シャフト梱包部材の開口部を前記補強部材に被せて止着するようにして、前記ゴルフクラブを梱包することを特徴とする、前記請求項１に記載したゴルフクラブの梱包部材。
【請求項３】
前記シャフト梱包部材の前記開口部の内側もしくは外側に、筒状の補強部材を止着し、前記ヘッド梱包部材内に前記ゴルフクラブの前記シャフト部が収納された状態で、前記シャフト梱包部材を前記補強部材を介して前記シャフト部に被装し、前記補強部材を前記第一の支持柱と第二の支持柱の内側に挿入するか、もしくは、前記第一の支持柱と前記第二の支持柱の外側に被嵌して、前記補強部材を前記第一の支持柱と前記第二の支持柱に止着したことを特徴とする前記請求項１に記載したゴルフクラブ梱包部材。
【請求項４】
前記シャフト梱包部材と前記ヘッド梱包部材、もしくは、前記シャフト梱包部材と前記ヘッド梱包部材および前記補強部材とを、夫々折り畳んで、郵便受けの投函口に投函可能なサイズとした外装ケースに収納したことを特徴とする前記請求項１乃至請求項３に記載したゴルフクラブの梱包部材。
【考案の詳細な説明】
【技術分野】
【０００１】  この考案はゴルフクラブの運送に利用するゴルフクラブの梱包部材に関する。
【背景技術】
【０００２】  ゴルフクラブのうち、中古のゴルフクラブは中古専門の流通市場があり、ゴルフクラブの買取り会社が一般のユーザーから不要のゴルフクラブを買取りして専門店やＥＣサイトで販売している。
ゴルフクラブの買取り希望者は、ゴルフクラブのメーカーや種類によって、事前に買取り価格の相場を知るところではあるが、現実には損傷の程度等によって買取り価格が変動する。
従って、ゴルフクラブの買取り希望者がゴルフクラブを買取り会社に送って、当該会社で買取り価格の査定をしない限り実際の買取り価格は決まらない。
而して、買取り希望者が、自分でゴルフクラブの梱包部材を調達して梱包することは面倒であって商談が遅延する原因ともなるので、買取り会社が買取り希望者に梱包箱等の梱包部材を送るようにしていた。【０００３】  一方、ゴルフクラブは長尺なシャフトにヘッドが付いているように、この梱包には長尺で大型の箱等の梱包部材が必要であるとともに、買取り希望者が査定価格に満足しない場合は、再度、買取り希望者に返却するなど、当該梱包部材および運賃が無駄になる場合もあって、これらの梱包部材および運賃の合理化が求められていた。
また、前述の梱包部材の合理化において、梱包設計に不備があると運送途上でゴルフクラブが損傷する恐れがあり、また、これらのゴルフクラブはお客様からの預かり物であるので一層の配慮が必要となる。【０００４】  上記ゴルフクラブの梱包に関して、以下の特許文献１がある。
【先行技術文献】
【特許文献】
【０００５】
【特許文献１】実全平０３−１０２４４３
【考案の概要】
【考案が解決しようとする課題】
【０００６】  特許文献１は、ゴルフクラブの梱包材料として、軟質と硬質のシートが積層されているプラスチックシートを利用するものであり、ゴルフクラブを任意の本数もしくは所定の組み合わせセット単位で梱包することにおいて、上記プラスチックシートを緩衝材料として利用するようにしている。【０００７】  この考案は、中古ゴルフクラブの買取り会社が買取り希望者に送る梱包部材を、ゴルフクラブの特異な形状に合わせて分割して、梱包部材自体のコストを軽減し、また、この梱包部材を、買取り希望者の郵便受けに投函可能なサイズの外装ケースに収納して運賃を軽減したゴルフクラブの梱包部材において、当該ゴルフクラブのシャフト部が長尺であるので単にダンボールの箱で梱包したのではダンボール材料のロスが多くコスト軽減の目的に叶わず、一方、ゴルフクラブのヘッド部とシャフト部の梱包材を別個に製作して、これを繋いでゴルフクラブを梱包する場合には、ヘッド部とシャフト部の繋ぎ個所に外部圧力が集中するので、この繋ぎ個所を補強した梱包形態が必要となる。
この考案は上述を解決することを目的としている。
【課題を解決するための手段】
【０００８】  前記課題を解決するため、このゴルフクラブの梱包部材は、ゴルフクラブのシャフト部を収納するシャフト梱包部材と、ゴルフクラブのヘッド部を収納するヘッド梱包部材とで構成された、ゴルフクラブの梱包部材において、前記シャフト梱包部材は、合成樹脂製もしくは紙製もしくは、合成樹脂製と紙製の積層構造の緩衝防止シートで形成されていて、長尺な形状で長手方向の一端を開口部とした袋体よりなり、前記ヘッド梱包部材は、下端部を閉塞し、上端部を開口した箱体と、当該箱体の上端部の開口を閉塞して、前記箱体と一体もしくは別体で設けられた閉塞部材とよりなり、前記箱体は、前記箱体を構成する側壁部のうちの１角個所において、直交する２面を上方に延長して第一の支持柱が設けられており、前記閉塞部材は、前記箱体の前記第一の支持柱の直交する２面と相対する個所を、上方に切り起こして第二の支持柱が形成されており、前記箱体に前記ゴルフクラブのヘッド部を収納して、前記ゴルフクラブのシャフト部が前記箱体の前記第一の支持柱と、前記閉塞部材の前記第二の支持柱との内側に配置されるようにして、前記閉塞部材で前記箱体の上端部を塞ぐとともに、前記閉塞部材を前記箱体に止着し、前記ゴルフクラブのシャフト部を、前記シャフト梱包部材で被装して、当該シャフト梱包部材の前記開口部を前記第一の支持柱および、前記第二の支持柱に被せて止着するようにした。【０００９】  また、前記ヘッド梱包部材の内部に前記ゴルフクラブのヘッド部が収納された状態で、前記箱体の前記第一の支持柱と前記閉塞部材の前記第二の支持柱との内側に補強部材を配置および止着して、前記シャフト梱包部材の開口部を前記補強部材に被せて止着するようにした。【００１０】  また、前記シャフト梱包部材の前記開口部の内側もしくは外側に、筒状の補強部材を止着し、前記ヘッド梱包部材内に前記ゴルフクラブの前記シャフト部が収納された状態で、前記シャフト梱包部材を前記補強部材を介して前記シャフト部に被装し、前記補強部材を前記第一の支持柱と第二の支持柱の内側に挿入するか、もしくは、前記第一の支持柱と前記第二の支持柱の外側に被嵌して、前記補強部材を前記第一の支持柱と前記第二の支持柱に止着した。【００１１】  また、前記シャフト梱包部材と前記ヘッド梱包部材、もしくは、前記シャフト梱包部材と前記ヘッド梱包部材および前記補強部材とを、夫々折り畳んで、郵便受けの投函口に投函可能なサイズとした外装ケースに収納した。
【考案の効果】
【００１２】  この考案のゴルフクラブの梱包部材は、ゴルフクラブが、径大なヘッド部と、径小で長尺なシャフト部が接続されている特異な形状であることに鑑みて、ヘッド梱包部材とシャフト梱包部材に分割して、こられを繋いでゴルフクラブを梱包するようにしたゴルフクラブの梱包部材において、前記シャフト梱包部材を樹脂製もしくは紙製もしくはこれらの積層構造のシートによる袋体で形成したので、ダンボール製に比較しコストを軽減でき、また、運送時などのゴルフクラブの損傷を防止することができる。
また、前記梱包状態においてシャフト梱包部材の先端個所に外部圧力がかかると、力のモーメントで、前記シャフト梱包部材とヘッド収納部材との繋ぎ個所が外れやすいものであるが、当該繋ぎ個所に第一の支持柱および第二の支持柱が備えられ、また、当該第一の支持柱および第二の支持柱もしくはシャフト梱包部材の開口部に補強部材を止着して補強されているので、シャフト梱包部材が運送時などで外れることがなく、またゴルフクラブ自体の損傷が防止される。
また、ヘッド梱包部材とシャフト梱包部材とを夫々折り畳んで、郵便受けに投函可能なサイズの外装ケースに収納する場合、前記シャフト梱包部材を樹脂製もしくは紙製もしくは樹脂製と紙製との積層構造の袋体としたので、嵩張らずに簡易に折り畳むことができ、前記外装ケースに収納した場合に、当該外装ケースが郵便受けの投函口に余裕を持って投函できる高さに制限することができる。
【図面の簡単な説明】
【００１３】
【図１】ゴルフクラブの梱包状態（実施例１）を示す斜視図。
【図２】図１の分解斜視図。
【図３】図１のＡ−Ａ線に沿う縦断面図。
【図４】閉塞部材の斜視図。
【図５ａ】梱包部材が外装ケースに収納される状態を示す分解斜視図。
【図５ｂ】梱包部材が外装ケースに収納される状態を示す分解斜視図。
【図６】外装ケースが郵便受けに投函される状態を示す斜視図。
【図７】ゴルフクラブの梱包状態（実施例２）を示す斜視図。
【図８】図７のＢ−Ｂ線に沿う縦断面図。
【図９】ゴルフクラブの梱包状態（実施例３）を示す分解斜視図。
【図１０】図９のゴルフクラブの梱包状態を示す縦断面図
【図１１】ゴルフクラブの梱包部状態（実施例４）を示す分解斜視図。
【考案を実施するための形態】
【００１４】  この考案は、ゴルフクラブの梱包部材に関するものであり、図１から図１１によって以下に詳述する。
【００１５】  図１乃至、図３は、ゴルフクラブ１の梱包部材の実施例１を示し、このゴルフクラブの梱包部材は、シャフト梱包部材２と、ヘッド梱包部材３とで構成されている。
シャフト梱包部材２は、一端を開口部４とした長尺形状の袋体５で形成されている。
上記袋体５は、樹脂製もしくは紙製もしくは樹脂製と紙製の積層構造の緩衝防止シートで形成され、樹脂製の場合は、小さな空気の粒が敷き詰められたクッションシートや、素材自体がクッション性のあるシートでもあり、また、紙製の場合は波型のフルートを有するダンボールなどを示し、これらの樹脂製シートと紙製シートとを積層して張り合わせたクッションシートでもある。
【００１６】  ヘッド梱包部材３は、箱体６と閉塞部材７とで構成されている。
上記ヘッド梱包部材３の箱体６は、下端部のフラップ６ａが内側に水平に折り曲げられ、ガムテープなどの止着手段８で側壁部９と止着されて下端部が塞がれ、他方、上端部は開口１０としている。
また、箱体６の側壁部９のうちの１角個所において、この側壁部９が直交する２面を上方に延長して第一の支持柱１１が一体で形成されている。
閉塞部材７は平板であり、方形に仮想した４角個所に切り欠き部１２が形成されることで、外側の４辺には折線１３で下側に折り曲げられる止着部１４が形成されている。
閉塞部材７は、箱体６の上端部に配置されて開口１０を塞ぎ、この箱体６内にゴルフクラブ１のヘッド部１ｂを収納するものであるが、この実施例１ではヘッド部１ｂの大小もしくはヘッド部１ｂにヘッドカバー１ｃが装着されている場合に、閉塞部材７の上下位置を変えて対応できるようにしている。
即ち、箱体６の上端部の４辺に挿し込み部１５を一体で形成し、一方、閉塞部材７の折線１３の内側で前記挿し込み部１５に相対して挿し込み溝１６を穿設し、箱体６にヘッド部１ｂを単体、もしくはヘッドカバー１ｃを備えたヘッド部１ｂを収納して、箱体６の上端部に閉塞部材７を配置し、挿し込み部１５を挿し込み溝１６に挿入して、閉塞部材７でヘッド部１ｂもしくはヘッドカバー１ｃを下方に押圧した状態で、止着部１４を側壁部９にガムテープ等の止着手段１７で止着する。
上記において、ヘッド部１ｂもしくは、ヘッドカバー１ｃが装着されているヘッド部１ｂは、この高さに高低があっても、閉塞部材７の止着位置が上下に対応するのでガタツキなく箱体６内に収納される。
また上記箱体６は、シャフト部１ａを収納するシャフト梱包部材２を接続して、ゴルフクラブ１が梱包されるものであり、ヘッド部１ｂもしくはヘッドカバー１ｃに収納されたヘッド部１ｂが箱体６に収納された状態で、閉塞部材７において、第一の支持柱１１の直交する２面と相対するようにして、上方に切り起こして第二の支持柱１８を形成し、前記第一の支持柱１１と第二の支持柱１８との内側にシャフト部１ａが配置されるようにしている。
上記箱体６および閉塞板７は、ダンボール板やプスチック緩衝防止板などで形成されている。
【００１７】  また、箱体６にゴルフクラブ１のヘッド部１ｂ、もしくはヘッドカバー１ｃが装着されたヘッド部１ｂが収納された状態で、第一の支持柱１１と、第二の支持柱１８に、シャフト梱包部材２の開口部４を被せて、このシャフト梱包部材２の下端部と第一の支持柱１１および第二の支持柱１８とにまたがってガムテープ等の止着手段２３でシャフト梱包部材２を止着する。
また、シャフト梱包部材２の前記止着手段として、第一の支持柱１１および第二の支持柱１８の外側に両面接着テープを貼り、この剥離紙を剥いで前記シャフト梱包部材２の開口部４を被せて止着するようにしても良い。
上述によって、ゴルフクラブ１がゴルフクラブの特異な形状に適合した合理的な梱包構造で梱包され、また、シャフト梱包部材２とヘッド梱包部材３との接続個所は、第一の支持柱１１と第二の支持柱１８とで補強されているので、運送途上等でシャフト部１ａの先端部に衝撃が加わっても、梱包部材が外れることがなく、一方ゴルフクラブ１自体もシャフト部１ａが曲がったりすることなくゴルフクラブ１自体の損傷も防止される。
【００１８】図７と図８は、ゴルフクラブ１の梱包部材の実施例２を示し、この梱包部材１のうちヘッド梱包部材３は箱体６ａで形成されていて、下端部のフラップ６ｂを内側に水平に折り曲げて、ガムテープなどの止着手段８で側壁部９ａと止着されて、この下端部が塞がれている。
また、箱体６ａは側壁部９ａのうちの１角個所において、この側壁部９ａが直交する２面を上方に延長して第一の支持柱１１ａが一体で形成され、この第一の支持柱１１ａの形成個所を除く上端部４辺には、前記のフラップ６ａと同様の閉塞部材２０が一体で上方に延長して形成されて開口２１が形成されている。
また、箱体６ａ内にゴルフクラブ１のヘッド部１ｂを収納して、閉塞部材２０を水平に折り曲げて開口２１が閉塞された状態において、閉塞部材２０の第一の支持柱１１ａの直交する２面と相対する端部個所を、上方に切り起こして第２の支持柱２２が形成されている。
上記において箱体６ａ内にゴルフクラブ１のヘッド部１ｂが収納された状態で、シャフト部１ａは、第一の支持柱１１ａと第ニの支持柱２２との内側に配置される。
【００１９】  次ぎに、箱体６ａにゴルフクラブ１のヘッド部１ｂが収納された状態で、箱体６ａの第一の支持柱１１ａと、第二の支持柱２２に、実施例１と同様にしてシャフト梱包部材２の開口部４を被せて、このシャフト梱包部材２の下端部と第一の支持柱１１ａおよび第二の支持柱２２とにまたがってガムテープ等の止着手段２３で止着する。
シャフト梱包部材２の前記止着手段として、第一の支持柱１１ａおよび第二の支持柱２２の外側に両面接着テープを貼っておいて、この剥離紙を剥いで前記シャフト梱包部材２の開口部４を被せて止着するようにしても良い。
また、上記箱体６および閉塞部材２０は、前述と同様にダンボール板やプスチック緩衝防止板などで形成されている。
上述によって、ゴルフクラブ１がゴルフクラブの特異な形状に適合した合理的な梱包構造で梱包され、また、シャフト梱包部材２とヘッド梱包部材３との接続個所は、第一の支持柱１１ａと第二の支持柱２２とで補強されているので、運送途上等でシャフト部１ａの先端部に衝撃が加わっても、梱包部材が外れることがなく、一方ゴルフクラブ１自体もシャフト部１ａが曲がったりすることなく損傷も防止される。
【００２０】  図９と図１０は、ゴルフクラブ１の梱包部材の第３の実施例を示している。
前述の実施例１および実施例２における、第一の支持柱１１、１１ａと第ニの支持柱１８、２２の夫々の組み合わせにおいて、これらの支持柱１１と１８もしくは１１ａと２２との内側に、補強部材２４を挿入して両面接着テープもしくは接着剤等の止着手段２３ａで止着する。
補強部材２４は、平板を四角の筒状に形成するものであり、ダンボール板やプスチック緩衝防止板などで形成されている。
前記箱体６もしくは箱体６ａ内に、ゴルフクラブ１のヘッド部１ｂ、もしくはヘッド部１ｂに装着しているヘッドカバー１ｃが収納された状態で、シャフト部１ａにシャフト梱包部材２を、開口部４を介して被装して、シャフト梱包部材２の下端部を補強部材２４に、ガムテープなどの止着手段２３で止着する。
上述によって、シャフト梱包部材２とヘッド梱包部材３との接続個所は、第一の支持柱１１と第二の支持柱１８もしくは、第一の支持柱１１ａと第二の支持柱２２および補強部材２４とで補強されているので、運送途上等でシャフト部１ａの先端部に衝撃が加わっても、梱包部材が外れることがなく、一方ゴルフクラブ１自体もシャフト部１ａが曲がったりすることなく損傷も防止される。
【００２１】  図１１は、ゴルフクラブ１の梱包部材の実施例４を示し、シャフト梱包部材２の開口部４の内側に筒状の補強部材２４ａを止着して、ヘッド梱包部材３の内部にヘッド部１ｂ、もしくはヘッド部１ｂを装着したヘッドカバー１ｃが収納された状態で、シャフト部１ａに、補強部材２４ａを介してシャフト梱包部材２を被装し、次いで、補強部材２４ａを箱体６の第一の支持柱１１もしくは１１ａ、および第二の支持柱１８もしくは２２に被嵌して、両面接着テープもしくはガムテープ等の止着手段で止着する。
上記補強部材２４ａは、紙製のダンボール板や樹脂板を繋いで筒状に形成し、また、シャフト梱包部材１ａの開口部４の外側に止着してもよい。
【００２２】  また、前述の梱包部材は、図５ａと、図５ｂに示したように、夫々折り畳んで外装ケース２５に収納して利用される。
前述の実施例１の梱包部材は図５ａで示したように、シャフト梱包部材２は、開口部４を左側もしくは右側として折り畳んで外装ケース２５内に収納される。
ヘッド梱包部材３の箱体６は畳んで外装ケース２５に収納される。
平板状の閉塞部材７は、平板状のままで外装ケース２５に収納できない場合は折り畳んで収納される。
また、前述の実施例２の梱包部材は図５ｂで示したように、シャフト梱包部材２と、箱体６ａとは、畳んで外装ケース２５に収納される。
補強部材２４もしくは２４ａは、畳んで外装ケース２５に収納される。
外装ケース２５は、箱に形成されているもの、もしくは組立てて箱に形成するものであり、前述の組み合わせにより、夫々の部材を収納して、上面を蓋２６で塞いでガムテープ等の止着手段２３で止着する。
【００２３】  上記の外装ケース２５は、この厚みと巾および長さを、郵便ポスト２８の投函口２９に投函可能なサイズとすることで、当該運送において買取り希望者が不在であっても配達される。
図６は、郵便ポスト２８の投函口２９に、外装ケース２５が投函される状態を示しているが、一方、郵便ポスト２８の投函口２９は、一般の家庭および事業所によってサイズが異なるものであるが、郵便局や宅配便等の運送会社においては、当該投函口２９のサイズについて夫々の規準を設定して荷物のサイズの制限をしている。
この考案の外装ケース２５および投函口２９のサイズは、上記の運送会社の規準を満たすサイズとしている。
【符号の説明】
【００２４】１・・・ゴルフクラブ
１ａ・・・シャフト部
１ｂ・・・ヘッド部
１ｃ・・・ヘッドカバー
２・・・シャフト梱包部材
３・・・ヘッド梱包部材
４・・・開口部
５・・・袋体
６・・・箱体
６ａ・・・箱体
７・・・閉塞部材
９・・・側壁部
９ａ・・・側壁部
１０・・・開口
１１・・・第一の支持柱
１１ａ・・・第一の支持柱
１２・・・切り欠き部
１４・・・止着部
１７・・・止着手段
１８・・・第ニの支持柱
２０・・・閉塞部材
２２・・・第二の支持柱
２３・・・止着手段
２３ａ・・・止着手段
２４・・・補強部材
２４ａ・・・補強部材
２５・・・外装ケース
２８・・・郵便ポスト
２９・・・投函口
【図１】
0003235629.tif 000003
【図２】
0003235629.tif 000004
【図３】
0003235629.tif 000005
【図４】
0003235629.tif 000006
【図５ａ】
0003235629.tif 000007
【図５ｂ】
0003235629.tif 000008
【図６】
0003235629.tif 000009
【図７】
0003235629.tif 000010
【図８】
0003235629.tif 000011
【図９】
0003235629.tif 000012
【図１０】
0003235629.tif 000013
【図１１】
0003235629.tif 000014